(57)【特許請求の範囲】
【請求項１】
化粧料が収納される合成樹脂製の容器本体と、この容器本体に枢着される合成樹脂製の蓋体と、これら容器本体と蓋体との間に設けられ容器本体に枢着されて取り外し可能な中枠体と、この中枠体に保持されるガラス製の鏡とを備え、
前記中枠体は、接離可能な分断端部を有し、前記容器本体に枢着されることによってその分断端部同士が近接して鏡を係止し、容器本体から取り外されて分断端部同士が互いに引き離されることによって鏡の係止状態が解除されることを特徴とする化粧料容器。
【発明の詳細な説明】
【０００１】
【発明の属する技術分野】
本発明は、化粧料が収納される容器本体とこれに枢着される蓋体とが合成樹脂で形成され、ガラス製の鏡を備えた化粧料容器に関する。
【０００２】
【従来の技術】
一般的に化粧料容器は携帯性を重視して丈夫で軽量であること、デザイン性のを重視して形状が制限されにくい加工性が求められ、これらの条件を満たす合成樹脂によって形成される一方、これに取り付けられる鏡としては、鮮明に映るようにガラス製のものが用いられている。また、収納される化粧料は蓋体を開いた状態で使用されることから、鏡は蓋体の裏面に貼着されていることが一般的である。即ち、鏡は蓋体を開き、比較的立てた状態で使用されるので、その自重等で剥がれ落ちないように十分な接着力で貼着されている。
【０００３】
【発明が解決しようとする課題】
近年、ゴミ排出量の低減化や資源をリサイクルするために、廃棄物はそれらの材質等によって分別して回収されている。よって、合成樹脂製の容器本体および蓋体とこの蓋体に貼着されたガラス製の鏡とで構成される従来の化粧料容器は、鏡を蓋体から剥がし、分別して回収する必要がある。
【０００４】
しかしながら、従来の化粧料容器にあっては、鏡と蓋体とが強力な接着力で貼着されているので、鏡を容易に剥がし取ることができないという課題があった。
また、鏡と蓋体とを分別する作業は通常、化粧料を使用していた者が、容器を捨てる際に行うのであるから、その際に専用工具や治具等を使用することは極めて煩わしく、分別収集の妨げになる虞がある。
【０００５】
本発明はかかる従来の課題に鑑みて成されたもので、容器本体および蓋体と鏡とを容易に分別することができる化粧料容器を提供することを目的とする。
【０００６】
【課題を解決するための手段】
かかる目的を達成するために本発明にかかる化粧料容器は、化粧料が収納される合成樹脂製の容器本体と、この容器本体に枢着される合成樹脂製の蓋体と、これら容器本体と蓋体との間に設けられ容器本体に枢着されて取り外し可能な中枠体と、この中枠体に保持されるガラス製の鏡とを備え、前記中枠体は、これが分断されて接離可能な分断端部を有し、前記容器本体に枢着されることによってその分断端部同士が近接して鏡を係止し、容器本体から取り外されて分断端部同士が互いに引き離されることによって鏡の係止状態が解除されることを特徴とする。
【０００７】
この構成によれば、中枠体は容器本体から取り外し可能で、取り外した状態で分断端部同士を引き離すことが可能なので、この中枠体を取り外して分断端部同士を引き離すことによって、中枠体に係止された鏡を容易に取り外すことができる。
したがって、鏡は何ら工具等を使用することなく取り外すことができ、容易に合成樹脂製の容器本体および蓋体とガラス製の鏡とを分離することができる。
また、中枠体は容器本体に枢着された状態でその分断端部が近接して鏡を係止するので、中枠体が容器本体に取り付けられた状態、即ち、化粧料容器の使用状態では鏡を確実に保持することができる。
【０００８】
【発明の実施の形態】
以下、本発明の一実施形態の化粧料容器を添付図面を参照して詳細に説明する。  図１〜図６は本実施形態の化粧料容器を示し、図１は化粧料容器の分解斜視図、図２は蓋体を閉じた状態を示す側断面図、図３は蓋体を閉じた状態を示す正面断面図、図４は蓋体を外した状態を示す平面図、図５は中枠体と鏡とを示す斜視図、図６は鏡を取り外している状態を示す平面図である。
【０００９】
本実施形態の化粧料容器１０は、化粧料を収納する容器本体１４と、この容器本体１４に枢着されて開閉可能な蓋体１２と、それらの間に設けられ容器本体１４に蓋体１２とともに枢着される中枠体１６とが、いずれも合成樹脂で形成され、前記中枠体１６にはガラス製の鏡１８が保持されている。
【００１０】
前記容器本体１４には中央部に化粧料を収納する化粧料収納部１４ａと、その上側に化粧料収納部１４ａより広く形成されて中枠体１６が収納される中枠体収納部１４ｂとが２段に凹設されて皿状をなし、その平面形状はほぼ正方形状をなしている。この容器本体１４の四方の外周部のうち後側の外周部１４ｃは、左右の端部１４ｄを残しその中央部が切り欠かれて枢着凹部２０が形成されている。この枢着凹部２０は、左右に対向する一対の鉛直壁面２０ａを有し、これら鉛直壁面２０ａと直交する方向に向けられて架け渡された枢着軸２０ｂが設けられている。
【００１１】
前記蓋体１２は前記容器本体１４の平面形状に沿って形成され、その内側にパフ等の化粧具２２が収納される化粧具収納部１２ａが凹設されている。蓋体１２の後端部には容器本体１４の枢着凹部２０に入り込むヒンジ突部１２ｂが設けられ、このヒンジ突部１２ｂには枢着軸２０ｂと回動自在に係合されるスリット１２ｃが設けられている。蓋体１２の前端部はフック２４を介して容器本体１４に係脱可能に形成されている。
【００１２】
前記中枠体１６は、正方形状をなしその一辺をなす後端枠部２８が中央で分断され、その分断端部３０同士が近接された状態でほぼ閉塞された枠体を形成する。中枠体１６は、鏡１８の外径より僅かに大きな内側寸法の枠体をなし、中枠体１６の肉厚は鏡１８の厚さより厚く形成されている。この中枠体１６は鏡１８の裏面側では全周に亘って内側に延出され、鏡面側では前端枠部２６と後端枠部２８のみが内側に延出されている。即ち、鏡１８は、分断端部３０同士が近接されて形成される閉塞された枠体に囲まれるとともに前端枠部２６と後端枠部２８との延出部分２６ａ，２８ａによって表裏から挟まれて係止されることになる。そして、図６に示すように前記分断端部３０が互いに離れる方向に後端枠部２８を引っ張ると、中枠体１６は左右の枠部３２が前端枠部２６との接合部３４を中心として外方に開くように変形する。このとき、後端枠部２８が鏡１８の後端部から離れ、後端枠部２８の延出部分２８ａから抜け出るため、鏡１８の中枠体１６との係止状態を容易に解除させることができる。
【００１３】
分断されて２つに分かれた後端枠部２８には前記容器本体１４の枢着凹部２０に入り込む枢着突部２８ｂが、分断部分１６ａを挟むとともに間隔を隔ててそれぞれ設けられ、この枢着突部２８ｂには前記枢着軸２０ｂと回動自在に係合される枢着溝２８ｃが設けられている。
【００１４】
即ち、中枠体１６の２つの枢着突部２８ｂは前記枢着凹部２０の左右の鉛直壁面２０ａにそれぞれ近接させて配置され、それら枢着突部２８ｂ間に蓋体１２のヒンジ突部１２ｂが配置され、それぞれ枢着溝２８ｃとスリット１２ｃとが枢着軸２０ｂにはめ込まれて、取り外し可能に枢着されている。ここで、枢着突部２８ｂとヒンジ突部１２ｂとの配置はこれに限らず、ヒンジ突部１２ｂを間隔を隔てて左右に設け、その間に枢着突部２８ｂを配置してもよい。
【００１５】
よって、中枠体１６は、容器本体１４に枢着された状態では、枢着突部２８ｂが左右の鉛直壁部２０ａに規制されているので、中枠体１６は分断端部３０が互いに離れる方向に変形することができない。したがって、中枠体１６が閉塞した枠状をなし、鏡１８と中枠体１６との係止状態が維持されるため、確実に鏡１８を保持することができる。
【００１６】
ここで枢着溝２８ｃとスリット１２ｃとは同形状をなしているので、共通する部位には同一符号を付して枢着溝２８ｃを例に説明する。枢着溝２８ｃは、ほぼ楕円形状をなし、短軸側が枢着軸２０ｂの直径とほぼ同じ長さに形成され、中枠体１６が容器本体１４に収納されて蓋体１２が閉じられた状態で鉛直方向に長くなるように形成されている。この枢着溝２８ｃには、その下方に開放され枢着軸２０ｂの直径より狭い幅の間隙２８ｄが設けられ、その上方に枢着軸２０ｂの直径より狭い幅の切り込み部２８ｅが設けられて枢着溝２８ｃ上部の剛性が低減されている。即ち、中枠体１６は、枢着溝２８ｃに入り込んでいる枢着軸２０ｂを上記間隙２８ｄに押し当てて容器本体１４から離す方向に引っ張ると、上記低剛性部分によって間隙２８ｄが押し広げられ、容易に容器本体１４から取り外すことができる。本実施形態では、枢着溝２８ｃとスリット１２ｃとを同形状としたが、蓋体１２は必ずしも着脱できることを要しない。
【００１７】
また、図７，８に示すように鏡１８の外周部分を囲むように鏡１８と中枠体１６との間にゴム等の軟質パッキン３６を介在させると、化粧料に含まれるの水分等による湿気が、鏡１８を構成するガラスと銀メッキとの間に浸入して発生する鏡１８の腐食を防止することができる。
【００１８】
本実施形態においては、化粧料容器１０の外形形状をほぼ正方形状としたが、図９に示すような円形状であっても、またその他の形状でも構わない。
【００１９】
【発明の効果】
以上説明したように本発明にかかる化粧料容器は、中枠体を容器本体から取り外して、分断端部同士を引き離すことによって、工具等を使用することなく容易に鏡を取り外すことができるので、合成樹脂製の容器本体および蓋体とガラス製の鏡とを容易に分別することができる。
【００２０】
また、化粧料容器の使用状態では中枠体の分断端部が近接された状態が維持されるので、鏡を中枠体に係止させ確実に保持することができる。
【図面の簡単な説明】
【図１】本発明の一実施形態を示す化粧料容器の分解斜視図である。
【図２】蓋体を閉じた状態を示す側断面図である。
【図３】図２の正面断面図である。
【図４】蓋体を外した状態を示す平面図である。
【図５】中枠体と鏡とを示す斜視図である。
【図６】鏡を取り外している状態を示す平面図である。
【図７】鏡と中枠体との間に軟質パッキンを介在させた状態を示す側断面図である。
【図８】図７の正面断面図である。
【図９】本発明にかかる化粧料容器の変形例を示す分解斜視図である。
【符号の説明】
１０  化粧料容器
１２  蓋体
１４  容器本体
１６  中枠体
１８  鏡
３０  分断端部
【図１】
0004672151.tif 000002
【図２】
0004672151.tif 000003
【図３】
0004672151.tif 000004
【図４】
0004672151.tif 000005
【図５】
0004672151.tif 000006
【図６】
0004672151.tif 000007
【図７】
0004672151.tif 000008
【図８】
0004672151.tif 000009
【図９】
0004672151.tif 000010